(57)【要約】【課題】部品点数を増加することなく中継用のコネクタを固定することができるとともに、該コネクタを比較的狭いスペースであっても簡易に固定することができるコネクタ保持構造、表示装置及びテレビ受像装置を提供する。【解決手段】中継用のコネクタ２に接続されている２本の導線１，１の長手方向に離隔して対向する複数のリブ４，４を樹脂成形品３に一体に形成し、リブ４，４の夫々に、コネクタ２の外面に接触して該コネクタ２を保持する保持部４２，４２を設け、嵌め込み操作でコネクタ２を保持することができるようにした。【選択図】図５
2012238570.tif 000002
【特許請求の範囲】
【請求項１】
２本の導線同士を接続するコネクタを、前記導線が配線される樹脂成形品で保持する保持構造において、
前記樹脂成形品は、前記導線の長手方向に離隔して対向する複数のリブを有し、該リブの夫々は、前記コネクタの外面に接触して該コネクタを保持する保持部を有することを特徴とするコネクタ保持構造。
【請求項２】
前記リブは、前記コネクタが嵌入されるリブ横断方向の嵌入溝を有し、該嵌入溝の対向している部分で前記コネクタを保持している請求項１記載のコネクタ保持構造。
【請求項３】
前記リブの夫々は、前記導線の長手方向と交差する方向の二つの位置に配してあるリブ分体により形成されており、該リブ分体の夫々は、前記二つの位置の間で対向する部分で前記コネクタを保持しており、前記導線の長手方向へ離隔するリブ分体の基部同士が連結リブにより連結されている請求項１記載のコネクタ保持構造。
【請求項４】
前記リブは三つの位置に配してあり、両側のリブは、該両側のリブの頂部が前記コネクタ側へ屈曲しており、中間のリブは、両側のリブに対して前記導線の長手方向と交差する側へ偏位している請求項１記載のコネクタ保持構造。
【請求項５】
前記両側のリブ及び前記中間のリブの一方は可撓性を有する請求項４記載のコネクタ保持構造。
【請求項６】
前記樹脂成形品は、スリットにより可撓になっている可撓片を有し、該可撓片に前記中間のリブを配してある請求項４記載のコネクタ保持構造。
【請求項７】
前記可撓片に、前記コネクタの外面に当接して前記可撓片を撓ませるための凸部を設けてある請求項６記載のコネクタ保持構造。
【請求項８】
２本の導線同士を接続するコネクタを、前記導線が配線される樹脂成形品で保持する保持構造において、
前記樹脂成形品は、前記導線の長手方向と交差する方向に離隔して対向する二つのリブを有し、該リブの夫々は、前記コネクタの外面に接触して該コネクタを挟持するための挟持片を有することを特徴とするコネクタ保持構造。
【請求項９】
前記リブの夫々は、
頂部に、前記コネクタの前記リブの高さ方向の一側に係止する係止爪を有し、
高さ方向の中央部に、前記コネクタの前記リブの高さ方向の他側に当接する当接部を有し、
前記リブの基部同士の間に空隙を設けてある請求項８に記載のコネクタ保持構造。
【請求項１０】
一側に表示面を有する表示部と、該表示部の他側を被覆するキャビネットと、該キャビネット内に配され、導線が接続されている電子部品と、前記導線の中途に介在されている中継用のコネクタを保持する請求項１から９のいずれか一つに記載のコネクタ保持構造とを備えることを特徴とする表示装置。
【請求項１１】
前記コネクタは、前記リブと対向する側の外面に、前記リブに対する位置を決めるための凸部を設けてある請求項１０記載の表示装置。
【請求項１２】
請求項２から９のいずれか一つに記載のコネクタ保持構造に保持されているコネクタと、前記リブを有する面との間に、導線が挿通されている請求項１０又は１１記載の表示装置。
【請求項１３】
テレビ放送信号を受信する受信部を備え、該受信部がテレビ放送信号を受信して前記表示部の表示面にテレビ画像を表示する請求項１０から１２のいずれか一つに記載の表示装置を含むことを特徴とするテレビ受像装置。
【発明の詳細な説明】
【技術分野】
【０００１】
本発明は２本の導線同士を接続するコネクタを、前記導線が配線される樹脂成形品で保持するコネクタ保持構造、該コネクタ保持構造を備える液晶表示装置、プラズマ表示装置、ＳＥＤディスプレイ、ＥＬディスプレイ等の表示装置及びテレビ受像装置に関する。
【背景技術】
【０００２】
液晶テレビジョン等の表示装置は、前側に映像表示面を有する表示部の後側に、電源回路基板、信号処理回路基板、複数の操作スイッチを集約した操作回路基板、表示ランプ及びリモートコントロール用受光素子等を集約した表示回路基板、スピーカ等の多くの電子部品が配されている。これら電子部品のうち、電源回路基板等の回路基板は前記表示部の後中央側に配され、スピーカは前記表示部の周縁側に配されており、該スピーカ及び信号処理回路基板に接続される導線は比較的長くなるため、一端がスピーカに接続されている導線の他端と、一端が信号処理回路基板に接続されている導線の他端とが中継用のコネクタに接続されており、また、導線の中間又はコネクタが、前記表示部の周縁部、後側を被覆するキャビネット等に固定されている。
【０００３】
導線の固定は、コネクタ側の端部を粘着テープで固定されており、また、コネクタの固定は、該コネクタを包持するホルダで固定されている。また、導線の固定は、特許文献１，２に記載されているように、樹脂成形品と一体に形成されたリブに嵌入溝を設け、該嵌入溝に導線の中間を嵌入することにより係止される。
【先行技術文献】
【特許文献】
【０００４】
【特許文献１】特開２００２−３５０８５１号公報
【特許文献２】特開２０１０−２３８７７６号公報
【発明の概要】
【発明が解決しようとする課題】
【０００５】
液晶テレビジョン等の表示装置において、スピーカは比較的大容量の電力が必要なため、スピーカ用の導線は、他の導線に比べて太径に形成されており、該導線に接続される中継用のコネクタも、他のコネクタに比べて大形に形成されている。
【０００６】
しかしながら、近年の液晶テレビジョン等の表示装置は益々狭額縁化、及び薄型化される傾向にあり、これに伴って表示部の周縁周りに配されるスピーカ用の太径の導線の配線スペース及び中継用の大形のコネクタの配置スペースも狭くなるため、この狭いスペースに導線を固定、コネクタを固定することは困難を来すことになり、改善策が要望されていた。
【０００７】
また、粘着テープで導線を固定する構造にあっては、コネクタ自体が固定されないため、スピーカの動作時にコネクタが微振動し易いことになる。また、コネクタ自体をホルダで固定する構造にあっては、部品点数が増加するとともに、ホルダの取付スペースを確保することが困難となり、ホルダによるコネクタの固定が困難になる。
【０００８】
本発明は斯かる事情に鑑みてなされたものであり、主たる目的は部品点数を増加することなく中継用のコネクタを固定することができるとともに、該コネクタを比較的狭いスペースであっても簡易に固定することができるコネクタ保持構造、表示装置及びテレビ受像装置を提供することにある。
【課題を解決するための手段】
【０００９】
本発明に係るコネクタ保持構造は、２本の導線同士を接続するコネクタを、前記導線が配線される樹脂成形品で保持する保持構造において、前記樹脂成形品は、前記導線の長手方向に離隔して対向する複数のリブを有し、該リブの夫々は、前記コネクタの外面に接触して該コネクタを保持する保持部を有することを特徴とする。
【００１０】
この発明にあっては、樹脂成形品に複数のリブがあり、リブの夫々に保持部があるため、リブ夫々の保持部の間にコネクタを嵌め込むことにより、該コネクタの外面が、リブ夫々の保持部に接触し、コネクタを安定性よく、しかも強く保持することができる。従って、専用のコネクタ固定用部品が必要でなく、部品点数を増加することなく、嵌め込み操作を行なうことによりコネクタを簡易に保持し、固定することができる。また、比較的大形の中継用のコネクタは、外面部分のバラツキが大きいのであるが、このバラツキが大きいコネクタを安定性よく強く保持することができる。また、コネクタのリブに対する位置を導線の長手方向へずらせることができるため、コネクタに接続される導線の長さにバラツキがあり、コネクタの配置箇所が一定でない場合においてもコネクタを安定性よく強く保持することができる。
【００１１】
また、本発明に係るコネクタ保持構造は、前記リブは、前記コネクタが嵌入されるリブ横断方向の嵌入溝を有し、該嵌入溝の対向している部分で前記コネクタを保持している構成とするのが好ましい。
この発明にあっては、コネクタを把持する指が、導線の長手方向に離隔して対向するリブの間に挿入されるため、複数のリブを備えるに拘らずコネクタを把持した指だけでコネクタをリブに保持し、固定することができ、コネクタの固定作業性を高めることができる。しかも、嵌入溝はリブの頂部側だけにあり、リブの剛性を高めることができるため、比較的大形のコネクタを安定性よく強く保持し、固定することができる。
【００１２】
また、本発明に係るコネクタ保持構造は、前記リブの夫々は、前記導線の長手方向と交差する方向の二つの位置に配してあるリブ分体により形成されており、該リブ分体の夫々は、前記二つの位置の間で対向する部分で前記コネクタを保持しており、前記導線の長手方向へ離隔するリブ分体の基部同士が連結リブにより連結されている構成とするのが好ましい。
この発明にあっては、導線の長手方向と交差する方向の二つの位置に導線の長手方向に離隔して設けられているリブ分体は、基部同士が連結リブにより連結されているため、リブ分体夫々の剛性を高めることができ、比較的大形のコネクタを安定性よく強く保持し、固定することができる。
【００１３】
また、本発明に係るコネクタ保持構造は、前記リブは三つの位置に配してあり、両側のリブは、該両側のリブの頂部が前記コネクタ側へ屈曲しており、中間のリブは、両側のリブに対して前記導線の長手方向と交差する側へ偏位している構成とするのが好ましい。
この発明にあっては、三つの位置のリブでコネクタを保持することができるとともに、導線の長手方向と交差する側へコネクタが抜け出るのを両側のリブにて防止することができるため、コネクタ保持構造が組込まれている表示装置が搬送される際に表示装置が振動したり、落下してコネクタに衝撃が加わる場合においても、コネクタの保持状態を維持することが可能である。
【００１４】
また、本発明に係るコネクタ保持構造は、前記両側のリブ及び前記中間のリブの一方は可撓性を有する構成とするのが好ましい。
この発明にあっては、可撓性を有するリブによりコネクタを他のリブ側へ押圧し、コネクタの保持力を高めることができるため、比較的大形のコネクタを安定性よく強く保持し、固定することができるとともに、コネクタ保持構造が組込まれている表示装置が搬送される際に表示装置が振動したり、落下してコネクタに衝撃が加わる場合においても、コネクタの保持状態をより一層維持することができる。また、三つの位置のリブのいずれかを撓ませ、リブ間の間隔を広くした状態でコネクタをリブの対向する部分間に挿入し、保持することができるため、コネクタの固定作業性を高めることができる。
【００１５】
また、本発明に係るコネクタ保持構造は、前記樹脂成形品は、スリットにより可撓になっている可撓片を有し、該可撓片に前記中間のリブを配してある構成とするのが好ましい。
この発明にあっては、中間のリブの頂部にコネクタの一部を当接させて嵌め込み方向へ押圧することにより、可撓片とともに中間のリブを撓ませ該コネクタをリブ夫々の対向する部分間に嵌め込むことができるため、コネクタを把持する片手で該コネクタをリブに保持し、固定することができ、コネクタの固定作業性をより一層高めることができる。しかも、比較的大形のコネクタの外面部分にバラツキがあっても、コネクタをガタツキなく安定性よく強く保持し、固定することができる。
【００１６】
また、本発明に係るコネクタ保持構造は、前記可撓片に、前記コネクタの外面に当接して前記可撓片を撓ませるための凸部を設けてある構成とするのが好ましい。
この発明にあっては、リブ夫々の対向する部分間に嵌め込まれたコネクタが、可撓片の凸部に当接し、可撓片が撓んだ後、該可撓片の弾性復元力によりコネクタを、両側のリブの頂部に加えることができ、両側のリブの頂部と、中間のリブと、可撓片の凸部との３点でコネクタを保持し、固定力を高めることができるため、比較的大形のコネクタの外面部分にバラツキがあっても、コネクタをより一層強く固定することができ、コネクタのガタツキを防止することができるとともに、樹脂成形品に微振動が加わるような場合でも、コネクタの微振動を防止することができる。
【００１７】
また、本発明に係るコネクタ保持構造は、２本の導線同士を接続するコネクタを、前記導線が配線される樹脂成形品で保持する保持構造において、前記樹脂成形品は、前記導線の長手方向と交差する方向に離隔して対向する二つのリブを有し、該リブの夫々は、前記コネクタの外面に接触して該コネクタを挟持するための挟持片を有することを特徴とする。
【００１８】
この発明にあっては、樹脂成形品に二つのリブがあり、リブの夫々に挟持片があるため、二つのリブの挟持片同士の間にコネクタを嵌め込むことにより、該コネクタの外面が、二つのリブ夫々の挟持片に接触し、コネクタを安定性よく、しかも強く保持することができる。従って、専用のコネクタ固定用部品が必要でなく、部品点数を増加することなく、嵌め込み操作を行なうことによりコネクタを簡易に保持し、固定することができる。また、比較的大形の中継用のコネクタは、外面部分のバラツキが大きいのであるが、このバラツキが大きいコネクタを安定性よく強く保持することができる。また、コネクタのリブに対する位置を導線の長手方向へずらせることができるため、コネクタに接続される導線の長さにバラツキがあり、コネクタの配置箇所が一定でない場合においてもコネクタを安定性よく強く保持することができる。
【００１９】
また、本発明に係るコネクタ保持構造は、前記リブの夫々は、頂部に、前記コネクタの前記リブの高さ方向の一側に係止する係止爪を有し、高さ方向の中央部に、前記コネクタの前記リブの高さ方向の他側に当接する当接部を有し、前記リブの基部同士の間に空隙を設けてある構成とするのが好ましい。
この発明にあっては、二つのリブの挟持片同士の間、及び係止爪と当接部との間にコネクタを嵌め込むことにより、コネクタが、導線の長手方向と交差する方向、及び、リブの高さ方向に脱落することが抑制される。このため、コネクタを更に安定性よく強く保持することができる。このとき、コネクタはリブの頂部とリブの高さ方向の中央部との間に位置するため、リブの基部同士の間に設けられた空隙を有効利用することができる。
【００２０】
また、本発明に係る表示装置は、一側に表示面を有する表示部と、該表示部の他側を被覆するキャビネットと、該キャビネット内に配され、導線が接続されている電子部品と、前記導線の中途に介在されている中継用のコネクタを保持する前述のコネクタ保持構造とを備えることを特徴とする。
この発明にあっては、スピーカ等の電子部品に接続されている導線が配線される樹脂成形品に、導線の長手方向に離隔して対向する複数のリブがあり、コネクタの外面に接触してコネクタを保持する保持部がリブ夫々にあるため、リブ夫々の保持部の間にコネクタを嵌め込むことにより、該コネクタの外面が、リブ夫々の保持部に接触し、コネクタを安定性よく強く保持することができる。従って、専用のコネクタ固定用部品が必要でなく、部品点数を増加することなく、嵌め込み操作を行なうことによりコネクタを簡易に保持し、固定することができるとともに、外面部分のバラツキが大きい中継用のコネクタを安定性よく強く保持することができる。また、コネクタに接続される導線の長さにバラツキがあり、コネクタの配置箇所が一定でない場合においてもコネクタを安定性よく強く保持することができる。
【００２１】
また、本発明に係る表示装置は、前記コネクタは、前記リブと対向する側の外面に、前記リブに対する位置を決めるための凸部を設けてある構成とするのが好ましい。
この発明にあっては、リブ夫々の保持部の間にコネクタが嵌め込まれる際、該コネクタの外面に設けられている凸部を目視することにより、リブ夫々に対するコネクタの位置を知見することができるため、コネクタを適正箇所に迅速に保持し、固定することができ、組立て作業性を高めることができる。
【００２２】
また、本発明に係る表示装置は、請求項２から９のいずれか一つに記載のコネクタ保持構造に保持されているコネクタと、前記リブを有する面との間に、導線が挿通されている構成とするのが好ましい。
この発明にあっては、コネクタ保持構造に保持されているコネクタと、リブを有する面との間に導線を挿通することによって、導線が、導線の長手方向と交差する方向、及び、リブの高さ方向に移動することが抑制される。即ち、コネクタ保持構造は、導線を固定する導線固定部を兼ねることができる。この結果、コネクタ保持構造とは別体の導線固定部を設ける必要がなくなる。
【００２３】
また、本発明に係るテレビ受像装置は、テレビ放送信号を受信する受信部を備え、該受信部がテレビ放送信号を受信して前記表示部の表示面にテレビ画像を表示する前述の表示装置を含むことを特徴とする。
この発明にあっては、テレビ放送信号を受信して前記表示部の表示面にテレビ画像を表示することができる。
【発明の効果】
【００２４】
本発明によれば、導線の長手方向に離隔して対向する複数のリブが樹脂成形品にあり、リブの夫々に、コネクタの外面に接触して該コネクタを保持する保持部があるため、リブ夫々の保持部の間にコネクタを嵌め込むことにより、該コネクタを安定性よく保持することができ、しかも、専用のコネクタ固定用部品が必要でなく、部品点数を増加することなく、コネクタを簡易に保持し、固定することができる。
【００２５】
また、本発明によれば、導線の長手方向と交差する方向に離隔して対向する二つのリブが樹脂成形品にあり、リブの夫々に、コネクタの外面に接触して該コネクタを挟持するための挟持片があるため、リブの挟持片同士の間にコネクタを嵌め込むことにより、該コネクタを安定性よく保持することができ、しかも、専用のコネクタ固定用部品が必要でなく、部品点数を増加することなく、コネクタを簡易に保持し、固定することができる。
【図面の簡単な説明】
【００２６】
【図１】テレビ受像装置の概略構成を示す分解斜視図である。
【図２】液晶表示装置の概略構成を示す分解斜視図である。
【図３】本発明に係るコネクタ保持構造の構成を示す斜視図である。
【図４】本発明に係るコネクタ保持構造が保持するコネクタの構成を示す斜視図である。
【図５】本発明に係るコネクタ保持構造にコネクタが保持されている状態の構成を示す斜視図である。
【図６】本発明に係る表示装置の構成を示す一部を省略した縦断側面図である。
【図７】本発明に係る表示装置の構成を示す一部を省略した背面図である。
【図８】本発明に係る表示装置の前キャビネットの構成を示す背面側の斜視図である。
【図９】コネクタ保持構造の他の構成を示す斜視図である。
【図１０】コネクタ保持構造にコネクタが保持されている状態を示す斜視図である。
【図１１】コネクタ保持構造の他の構成を示す斜視図である。
【図１２】コネクタ保持構造にコネクタが保持されている状態の断面図である。
【図１３】表示装置の構成を示す一部を省略した背面図である。
【図１４】コネクタ保持構造が装着され、スピーカが支持される支持板の構成を示す斜視図である。
【図１５】支持板のコネクタ保持構造にコネクタが保持されている状態の斜視図である。
【図１６】コネクタ保持構造の他の構成を示す斜視図である。
【図１７】コネクタ保持構造の他の構成を示す平面図である。
【図１８】コネクタ保持構造にコネクタとケーブルとが保持されている状態の構成を示す斜視図である。
【図１９】コネクタ保持構造にコネクタとケーブルとが保持されている状態の構成を示す平面図である。
【図２０】コネクタ保持構造にコネクタとケーブルとが保持されている状態の構成を示す正面図である。
【図２１】コネクタ保持構造にコネクタとケーブルとが保持されている状態の他の構成を示す正面図である。
【図２２】コネクタ保持構造にコネクタとケーブルとが保持されている状態の他の構成を示す正面図である。
【図２３】コネクタ保持構造にコネクタとケーブルとが保持されている状態の他の断面図である。
【発明を実施するための形態】
【００２７】
以下本発明をその実施の形態を示す図面に基づいて詳述する。説明は、前側に表示面を有し、略直方体をなす液晶表示パネルを備える薄型の表示機器に導線保持構造が設けられている表示装置を例として説明する。表示装置はバックライト部を含む液晶表示装置を搭載し、テレビ放送信号を受信する受信部を備え、該受信部がテレビ放送信号を受信してテレビ画像を前記液晶表示パネルに表示するテレビ受像装置を含む。図１はテレビ受像装置の概略構成を示す分解斜視図、図２は液晶表示装置の概略構成を示す分解斜視図である。
【００２８】
テレビ受像装置は、液晶表示装置Ｂと、該液晶表示装置Ｂを挾むようにして収容する枠体Ｃ及びカバーＤと、電源Ｅと、チューナＦと、スタンドＧとを備えて構成される。液晶表示装置Ｂは、全体として横長の方形（矩形状）をなし、縦置き状態で枠体Ｃ及びカバーＤ内に収容されている。この液晶表示装置Ｂは、図２に示すように、液晶表示パネルＨと、外部光源であるバックライト部Ｊとを備え、液晶表示パネルＨ及びバックライト部Ｊなどが枠状のベゼルなどの挾持枠体Ｋ，Ｌにより一体的に挾持され、パネルモジュールを構成するようになっている。
【００２９】
実施の形態１
図３は本発明に係るコネクタ保持構造の構成を示す斜視図、図４はコネクタ保持構造が保持するコネクタの構成を示す斜視図、図５はコネクタ保持構造にコネクタが保持されている状態の構成を示す斜視図である。
【００３０】
図３〜図５に示すコネクタ保持構造Ａは、２本の導線１，１同士を接続するコネクタ２を、導線１，１と対向する樹脂成形品３に保持するものであり、樹脂成形品３には、導線１の長手方向に離隔して対向する二つのリブ４，４が設けられている。コネクタ２に接続される導線１は、図４、図５に示すように夫々２本である他、夫々１本又は３本以上も含まれる。
【００３１】
コネクタ２は、一端に導線１が接続されているプラグ２１と、一端に導線１が接続され、プラグ２１に嵌入されているレセプタクル２２とを有し、全体が略直方体に形成されている。プラグ２１及びレセプタクル２２の一方には抜止凸部があり、他方には該抜止凸部に係止される抜止凹部がある。
【００３２】
リブ４，４は基端から頂面に亘って漸次小幅となる略台形をなし、リブ横断方向が導線１の長手方向となるように対向配置されており、リブ４，４の幅方向中央部に、頂面から基端側へ窪むリブ横断方向の嵌入溝４１が設けられている。リブ４，４の嵌入溝４１の両側面が、コネクタ２の両側面に接触してコネクタ２を保持する保持部４２，４２である。嵌入溝４１の保持部４２，４２間の寸法は、コネクタ２の両側面間の寸法よりも僅かに短くなっており、コネクタ２の両側面との間に、比較的小さい接触抵抗が加わるようになしてある。嵌入溝４１の底面で、保持部４２，４２と離隔した中央部には、嵌入溝４１の深さ方向へ窪む凹所４３が設けられ、底面の保持部４２，４２側にだけ、コネクタ２の下面に当接する当接部４４，４４が設けられている。
【００３３】
嵌入溝４１の保持部４２，４２は、リブ４の全高に亘って他の部分よりも若干厚肉に形成され、保持部４２，４２が変形し難いようになしてある。
【００３４】
リブ４，４は、プラグ２１の外面と、レセプタクル２２の外面とに接触する寸法で離隔し、一方のリブ４の保持部４２，４２がプラグ２１の両側面に接触し、他方のリブ４の保持部４２，４２がレセプタクル２２の両側面に接触するようになしてある。
【００３５】
コネクタ２の長手方向中間で、嵌入溝４１に嵌入保持された際にリブ４，４の間となる箇所には凸部２３が設けられている。この凸部２３は、コネクタ２がリブ４，４の嵌入溝４１，４１に嵌入保持される際の位置決め用であり、凸部２３がリブ４，４間に位置するようにしてコネクタ２がリブ４，４の嵌入溝４１，４１に嵌入される。
【００３６】
以上のように成形されたリブ４，４を備えるコネクタ保持構造Ａは、液晶テレビジョン等の薄型の表示装置に装着される。
【００３７】
図６は本発明に係る表示装置の構成を示す一部を省略した縦断側面図、図７は表示装置の構成を示す一部を省略した背面図、図８は前キャビネット１５の構成を示す背面側の斜視図である。
【００３８】
図６〜図８に示した薄型の表示装置は、前側にパネル部１１を有し、後側に該パネル部１１へ光を照射する光源部１２を有し、略直方体をなす表示部１０と、該表示部１０の後側に配されている信号処理回路基板１３及び電源回路基板１４と、表示部１０の周縁部前側及び周縁部を隠蔽する樹脂製の前キャビネット１５と、該前キャビネット１５の後側下部に装着されている高音用のスピーカ１６ａ，１６ａと、該スピーカ１６ａ，１６ａに接続されている導線１，１及び該導線１，１を中継する中継用のコネクタ２と、表示部１０の周縁部から後側を被覆する樹脂製の後キャビネット１７と、表示部１０の後側に装着されている低音用のスピーカ１６ｂとを備える液晶テレビジョンである。
【００３９】
パネル部１１は、前側に表示面を有し略直方体をなすパネル１１ａ、及び該パネル１１ａの後側に配された拡散板等の光学シート１１ｂを備える。光源部１２は、光学シート１１ｂの後側に配され、該光学シート１１ｂ側へ光を照射する発光ダイオード等の光源１２ａと、該光源１２ａを収容して支持するケース体１２ｂとを備える。
【００４０】
ケース体１２ｂは略直方体をなし、後面の一側部には信号処理回路基板１３が取付けられており、後面における下部の横方向中央部で、低音用のスピーカ１６ｂと対向する位置には、パネル部１１の駆動及び制御を行なう制御回路基板１８が取付けられている。
【００４１】
信号処理回路基板１３はパネル部１１に表示する映像信号を処理させるもので、略四角形をなし、複数の電子部品及び端子が実装されている。電源回路基板１４は、信号処理回路基板１３、光源及び制御回路基板１８等の部品に電圧を供給するもので、複数の電子部品及び端子が実装されている。
【００４２】
前キャビネット１５は、パネル部１１の周縁部前面に対向する環板部１５ａ及びパネル部１１の周縁に対向する角枠部１５ｂを有し、環板部１５ａの下部両側に高音用のスピーカ１６ａ，１６ａが装着されている。また、環板部１５ａの一側部に、複数の操作スイッチを集約した操作回路基板１９が装着されている。前キャビネット１５は樹脂成形品３を構成する。
【００４３】
信号処理回路基板１３と電源回路基板１４、信号処理回路基板１３と制御回路基板１８、信号処理回路基板１３と光源用の回路基板、電源回路基板１４と制御回路基板１８、信号処理回路基板１３と高音用のスピーカ１６ａ，１６ａ、信号処理回路基板１３と低音用のスピーカ１６ｂ、信号処理回路基板１３と操作回路基板１９とは夫々導線により接続されている。導線は、断面丸形等、太さ及び断面形状が異なる。
【００４４】
高音用のスピーカ１６ａ，１６ａは、信号処理回路基板１３の端子位置から比較的離隔した箇所に配され、比較的長い導線が必要であるため、スピーカ１６ａ，１６ａに接続される導線１と、信号処理回路基板１３に接続される導線１とが中継用のコネクタ２により接続されている。
【００４５】
後キャビネット１７は深皿形をなし、該後キャビネット１７及び前キャビネット１５がケース体１２ｂの周縁部にビス等の雄螺子により取付けられている。
【００４６】
以上のように構成された表示装置は、前キャビネット１５における環板部１５ａの下部の高音用のスピーカ１６ａ，１６ａ間２箇所にコネクタ保持構造Ａを構成するリブ４，４が一体に形成されている。
【００４７】
リブ４，４は、導線１の長手方向に離隔して対向並置されており、リブ４，４夫々に、コネクタ２の両側面に接触する保持部４２，４２を有する嵌入溝４１が設けられているため、該嵌入溝４１へコネクタ２を嵌入することにより、該コネクタ２を対向する部分間で簡易に保持することができる。導線１の長手方向に離隔しているリブ４，４は、コネクタ２の離隔した２箇所を保持するため、コネクタ２を安定性よく保持することができ、表示装置が搬送される際の振動、落下等によってコネクタ２の保持が外れるのをなくすることができる。また、コネクタ２には、保持部４２，４２が接触する側面に凸部２３が設けられているため、コネクタ２が嵌入溝４１に嵌入保持される際、凸部２３がリブ４，４間に位置するようにしてコネクタ２を嵌入溝４１に嵌入することにより、コネクタ２の適正位置を容易に、且つ迅速に保持し、固定することができる。また、凸部２３は、主として組立て時における位置決め用であるが、組込み後においては、表示装置が搬送される際の振動、落下等によってコネクタ２が導線１の長手方向へ移動するのを規制することができる。即ち、コネクタ２が導線１の長手方向へ若干移動したとき、凸部２３がリブ４，４の一方に当接し、コネクタ２の移動が規制される。
【００４８】
実施の形態２
図９はコネクタ保持構造Ａの他の構成を示す斜視図、図１０はコネクタ保持構造Ａにコネクタ２が保持されている状態を示す斜視図である。このコネクタ保持構造Ａは、信号処理回路基板１３と高音用のスピーカ１６ａ，１６ａとに接続される導線１の長手方向と直交する方向の二つの位置の夫々に、導線１の長手方向に離隔して三つのリブ５，５，５を配し、該リブ５，５，５夫々の対向する内面に、コネクタ２の両側面に接触してコネクタ２を保持する保持部５１，５１，５１を設けたものである。
【００４９】
導線１の長手方向に離隔して配された三つのリブ５，５，５は、導線１の長手方向と直交する方向の二つの位置に配してあるリブ分体５ａ，５ａにより形成されており、該リブ分体５ａ，５ａの夫々が、前記二つの位置の間で対向する保持部５１，５１でコネクタ２を保持している。導線の長手方向へ離隔するリブ分体５ａ，５ａ，５ａの基部同士は連結リブ５２，５２により一体に連結されている。リブ分体５ａ，５ａ，５ａの夫々の基部内側には、コネクタ２の底面に当接して、コネクタ２を受止める受止部５３が設けられている。
【００５０】
導線１の長手方向に離隔する三つのリブ５，５，５のうち、両側のリブ５，５のリブ分体５ａ，５ａは、コネクタ２の長手方向両端部の側面に接触し、中間のリブ５のリブ分体５ａ，５ａは、コネクタ２の長手方向中央部の側面に接触するようになしてある。コネクタ２において、レセプタクル２２の長さはプラグ２１の長さよりも長いため、中間のリブ５のリブ分体５ａ，５ａはレセプタクル２２のプラグ側端部に接触する。
【００５１】
この構成にあっては、略直方体をなすコネクタ２の長手方向３箇所にリブ５，５，５の保持部５１が接触し、長手方向の３箇所をリブ５，５，５にて保持することができるため、他のコネクタに比べて大形に形成されているスピーカ導線用コネクタの保持力を高めることができるとともに、コネクタ２の安定性を高めることができ、保持状態をより一層維持することができる。
【００５２】
実施の形態２のコネクタ保持構造は、実施の形態１と同様、高音用のスピーカ１６ａ，１６ａ及び低音用のスピーカ１６ｂを備える前述した表示装置に装着されるため、表示装置の説明を省略する。
その他の構成及び作用は実施の形態１と同様であるため、同様の部品については同じ符号を付し、その詳細な説明及び作用効果の説明を省略する。
【００５３】
実施の形態３
図１１はコネクタ保持構造Ａの他の構成を示す斜視図、図１２はコネクタ保持構造Ａにコネクタ２が保持されている状態の断面図である。このコネクタ保持構造Ａは、信号処理回路基板１３と低音用のスピーカ１６ｂとに接続される導線１の長手方向に離隔して対向する三つのリブ６，６，７を、リブ横断方向が導線１の長手方向と直交するように並置し、中間のリブ７を両側のリブ６，６に対して導線１の長手方向と直交する側へ偏位させ、中間のリブ７を可撓とし、両側のリブ６，６を、その頂部がコネクタ２側へ屈曲する断面略Ｌ字形に形成し、リブ６，６，７夫々の対向する部分間にコネクタ２を嵌め込むことにより、該コネクタ２を保持し、固定することができるように構成したものである。
【００５４】
リブ６，６，７の夫々は樹脂成形品３の一縁部に該樹脂成形品３と一体に形成されている。両側のリブ６，６は樹脂成形品３の一縁から若干離隔した箇所に配してあり、リブ６，６の頂部内側が、コネクタ２の上面に接触してコネクタ２を保持するための保持部６１，６１である。保持部６１，６１はリブ頂面に向けて若干外方へ傾斜し、中間のリブ７側からコネクタ２を嵌め込み易いようになしてある。
【００５５】
中間のリブ７は、板形状の樹脂成形品３に形成される可撓片３１の先端部に、該可撓片３１と一体に略Ｉ字形に形成されており、該リブ７の内側が、コネクタ２の一側面に接触してコネクタ２を保持するための保持部７１である。
【００５６】
樹脂成形品３は、一縁から両側のリブ６，６間に亘って二つのスリット３２，３２が設けられ、該スリット３２，３２間に、略矩形の可撓片３１が形成されている。可撓片３１の先端よりも若干基端側に中間のリブ７が設けられ、可撓片３１の先端に指掛部３３が設けられ、該指掛部３３に指を掛けて押圧することにより可撓片３１を介して中間のリブ７を撓ませることができるようになしてある。可撓片３１のリブ７よりも基端側には、コネクタ２の下面に当接して可撓片３１を撓ませるための凸部３４が一体に形成されている。凸部３４は、リブ６，６の頂面よりも若干リブ７側に配され、凸部３４と、リブ６，６の保持部６１，６１と、リブ７の保持部７１との３点でコネクタ２を保持することができるようになしてある。
【００５７】
この構成にあっては、両側のリブ６，６が断面略Ｌ字形をなし、中間のリブ７が導線１の長手方向と直交する側へ偏位し、且つ可撓片３１にて可撓になっているため、中間のリブ７を撓ませることにより、リブ６，６，７夫々の間にコネクタ２を嵌め込むことができる。この嵌め込みにより、コネクタ２の下面が、可撓片３１の凸部３４に当接し、該凸部３４が押圧され、可撓片３１が撓み、可撓片３１の弾性復元力によりコネクタ２がリブ６，６の保持部６１，６１に押圧されるとともに、中間のリブ７がコネクタ２をリブ６，６の基部へ押圧し、凸部３４と、リブ６，６の保持部６１，６１と、リブ７の保持部７１との３点でコネクタ２を強く保持することができ、コネクタ２の固定力を高めることができ、しかも、比較的大形のコネクタの外面部分にバラツキがあっても、コネクタ２をより一層強く固定することができ、コネクタのガタツキを防止することができる。また、樹脂成形品３に微振動が加わるような場合でも、コネクタ２の微振動を防止することができる。
【００５８】
保持されたコネクタ２は、嵌め込み方向と反対側への移動が、リブ６，６の保持部６１，６１にて阻止されるため、表示装置が搬送される際の振動、落下等によってコネクタ２の保持が外れるのをなくすることができる。
【００５９】
コネクタ２が嵌め込まれる際には、可撓片３１の先端に設けられている指掛部３３を指で押圧することにより、中間のリブ７を簡易に撓ませることができ、コネクタ２を簡易に、且つ迅速に嵌め込むことができる。また、コネクタ２を取外す際にも、指掛部３３を指で押圧することにより、中間のリブ７を簡易に撓ませることができ、コネクタ２を簡易に、且つ迅速に取外すことができる。
【００６０】
実施の形態３のコネクタ保持構造Ａは、実施の形態１と同様、高音用のスピーカ１６ａ，１６ａ及び低音用のスピーカ１６ｂを備える前述した表示装置に装着される。実施の形態３のコネクタ保持構造Ａは、信号処理回路基板１３と低音用のスピーカ１６ｂとに接続される導線１の中継用のコネクタ２を保持する。
【００６１】
前述の表示装置の表示部１０の後側に配される光源部１２におけるケース体１２ｂの後面に合成樹脂製の支持板２０が取付けられ、該支持板２０に、低音用のスピーカ１６ｂ及びコネクタ保持構造Ａが装着されている。支持板２０は樹脂成形品３を構成する。
【００６２】
図１３は表示装置の構成を示す一部を省略した背面図、図１４はコネクタ保持構造が装着され、スピーカが支持される支持板の構成を示す斜視図、図１５は支持板のコネクタ保持構造にコネクタが保持されている状態の斜視図である。
支持板２０は略四角形をなし、上側二つの隅部と、下側二つの隅部よりも中央側との４箇所に筒形のボス２０ａが突設され、下側二つの隅部に筒形の第２のボス２０ｂが突設され、一側縁部にコネクタ保持構造Ａが装着されている。また、上縁部、他側縁部及び下縁部の３箇所に取付孔２０ｃが開設されている。
【００６３】
支持板２０は、取付孔２０ｃに挿入される雄螺子によりケース体１２ｂの下側の両側部に取付けられる。低音用のスピーカ１６ｂはボス２０ａに螺入される雄螺子により支持板２０の夫々に取付けられる。支持板２０の下側二つのボス２０ｂには後キャビネット１７の下部が雄螺子により取付けられる。
その他の構成及び作用は実施の形態１と同様であるため、同様の部品については同じ符号を付し、その詳細な説明及び作用効果の説明を省略する。
【００６４】
尚、以上説明した実施の形態３では、樹脂成形品３が可撓片３１を有し、該可撓片３１と一体のリブ７を可撓片３１により可撓にしたが、その他、可撓片３１をなくし、中間のリブ７自体を可撓に形成してもよいし、また、両側のリブ６，６を可撓に形成してもよく、いずれかのリブ６，７が可撓であればよい。
【００６５】
また、以上説明した実施の形態３では、可撓のリブ７を有する構成としたが、その他、リブ７は必ずしも可撓でなくてもよい。この場合、リブ６，６の夫々を断面略Ｉ字形とし、夫々のリブ６，６，７の内側に、コネクタの外面に接触してコネクタを保持する保持部を設け、リブ６，６，７の夫々の間にコネクタ２を嵌め込むことができる構成としてもよい。
【００６６】
実施の形態４
図１６及び図１７はコネクタ保持構造Ａの他の構成を示す斜視図及び平面図である。図１８、図１９、及び図２０は、コネクタ保持構造Ａにコネクタ２とケーブル９，９，…とが保持されている状態の構成を示す斜視図、平面図、及び正面図である。図１８及び図１９は図１６及び図１７に対応する。
ここで、ケーブル９，９，…とは、コネクタ２に接続されている導線１，１とは異なる複数本の導線である。
本実施の形態におけるコネクタ保持構造Ａは、実施の形態１〜３に示すコネクタ保持構造Ａとは異なる構成を有しているが、これらと同様にコネクタ２を保持する機能を有している。
【００６７】
更に、本実施の形態におけるコネクタ保持構造Ａは、ケーブル９，９，…を固定する。ただし、コネクタ保持構造Ａにケーブル９，９，…が１本も固定されていなくても、コネクタ保持構造Ａのコネクタ２を保持する機能が阻害されることはない。一方、コネクタ保持構造Ａにコネクタ２が保持されていない場合、コネクタ保持構造Ａでケーブル９，９，…を固定することはできない。なお、コネクタ保持構造Ａで固定すべきケーブル９は１本でもよい。
以下では、実施の形態１〜３との差異について説明し、その他、実施の形態１〜３に対応する部分には同一符号を付してそれらの説明を省略する。
【００６８】
まず、本実施の形態におけるコネクタ保持構造Ａの構成を説明する。
図１６〜図２０に示すコネクタ保持構造Ａは、２本の導線１，１同士を接続するコネクタ２を、導線１，１と対向する樹脂成形品３に保持するものである。樹脂成形品３には、導線１の長手方向と直交する方向に離隔して対向する二つのリブ８，８が設けられている。前キャビネット１５は、樹脂成形品３を構成する。
【００６９】
以下では、樹脂成形品３のリブ８，８を有する面を、リブ形成面３０という。また、リブ８の高さ方向（即ちリブ８の突設方向）、導線１の長手方向、及び、導線１の長手方向と直交する方向（更に詳細には、導線１の長手方向と直交し、且つ、リブ形成面３０に沿う方向）を、上下方向、前後方向、及び左右方向という。
各リブ８は、前後方向に沿う矩形板状のリブ本体８０を有する。以下では、リブ本体８０，８０の互いに対向する面（又は離反する面）を対向面（又は離反面）という。
【００７０】
リブ本体８０の、頂部から上下方向中央部までは、コネクタ２を挟持するための挟持片８１である。挟持片８１は、可撓性を有する。挟持片８１，８１における対向面は、後述するようにコネクタ２の外面（具体的には左右両面）に接触する。
リブ本体８０の頂部には、後述するようにコネクタ２に係止する係止爪８２が突設されている。係止爪８２の突設位置は、リブ本体８０の対向面における前後方向中央部である。係止爪８２は、リブ本体８０の頂部側から基部側に亘って漸次突設量が増大するようテーパ面を有する。
【００７１】
リブ本体８０の上下方向中央部には、後述するようにコネクタ２に当接する当接部８３，８３が突設されている。当接部８３，８３の突設位置は、リブ本体８０の対向面における前後方向両端部である。
リブ本体８０の離反面の、上下方向中央部から基部に亘って、リブ本体８０を補強する補強部８５が突設されている。補強部８５は、挟持片８１における離反面には設けられていない。故に、補強部８５が挟持片８１の可撓性を損なうことはない。
【００７２】
リブ本体８０，８０の対向面同士、延いては、挟持片８１，８１における対向面同士は、挟持すべきコネクタ２の寸法に等しいか、又は、僅かに短くなるよう、左右方向に適長離隔している。この結果、挟持片８１，８１における対向面間でコネクタ２を容易且つ強く挟持することができる。
係止爪８２，８２同士は、挟持すべきコネクタ２の寸法よりも短くなるよう、左右方向に適長離隔している。この結果、挟持片８１，８１が互いに離反する方向に撓んだときに、係止爪８２，８２間をコネクタ２が容易に通過可能になり、且つ、挟持片８１，８１が撓んでいないときに、係止爪８２，８２間をコネクタ２が通過不能になる。
【００７３】
一方のリブ本体８０に設けられている当接部８３，８３と他方のリブ本体８０に設けられている当接部８３，８３とは、左右方向に適長離隔している。この離隔距離と、リブ形成面３０から各当接部８３までの高さとは、コネクタ保持構造Ａで固定すべきケーブル９，９，…の本数及び外径に応じて設計される。
各リブ本体８０の係止爪８２と当接部８３とは、上下方向に適長離隔している。この結果、係止爪８２と当接部８３，８３との間に保持されたコネクタ２が上下方向に無用に動揺することが抑制される。
【００７４】
コネクタ保持構造Ａで保持すべきコネクタ２の寸法にバラつきがある場合、コネクタ保持構造Ａの設計者は、コネクタ保持構造Ａの各部の寸法を、複数個のコネクタ２，２，…の寸法の代表値（例えば平均値又は最頻値等）に応じて設計すればよい。
【００７５】
次に、本実施の形態におけるコネクタ保持構造Ａによるコネクタ２の保持について説明する。
コネクタ２は、コネクタ２の底面（即ち、導線１の長手方向に沿い、且つ、凸部２３が設けられていない２面の内の一方）をリブ形成面３０に対面させた姿勢で、リブ本体８０，８０の頂部側から基部側へ向けて、リブ本体８０，８０間に挿入される。このとき、リブ本体８０，８０の前後方向一端面に沿ってコネクタ２の凸部２３，２３を摺動させれば、コネクタ２は前後方向に容易に位置決めされる。
【００７６】
リブ本体８０，８０間に挿入されるコネクタ２が係止爪８２，８２のテーパ面に当接すると、コネクタ２は、係止爪８２，８２のテーパ面に摺動しつつ更にリブ本体８０，８０の基部側へ移動する。このとき、コネクタ２から係止爪８２，８２へ、挟持片８１，８１間を押し広げる方向の外力が印加されるため、挟持片８１，８１が互いに離反する方向に撓む。挟持片８１，８１の撓みに伴って、係止爪８２，８２同士は更に離れる。
【００７７】
リブ本体８０，８０間に挿入されるコネクタ２の底面が４つの当接部８３，…，８３に当接すると、コネクタ２の移動が終了する。このとき、コネクタ２は係止爪８２，８２よりも基部側に位置するため、コネクタ２から係止爪８２，８２への外力が失われる。従って、挟持片８１，８１の弾性復元力によって、挟持片８１，８１の形状が撓んでいた状態から復元する。これに伴い、挟持片８１，８１における対向面がコネクタ２の左右両面に接触した状態で、挟持片８１，８１がコネクタ２を挟持する。また、係止爪８２，８２が、コネクタ２の天面に係止する。
【００７８】
コネクタ保持構造Ａに保持されたコネクタ２の左右方向の動揺は、挟持片８１，８１によって規制される。また、コネクタ２の上下方向の動揺は、係止爪８２，８２と当接部８３，…，８３とによって規制される。コネクタ２の前後方向の動揺は、コネクタ２とリブ本体８０との摩擦抵抗によって抑制される。
コネクタ２の前後方向の位置は、凸部２３，２３がリブ本体８０，８０間に位置しない範囲で、調節することができる。
【００７９】
以上のように、リブ８，８は互いに適長離隔されている。しかも、樹脂成形品３のリブ本体８０，８０間には、コネクタ保持構造Ａ以外のものは設けられていない。故に、コネクタ保持構造Ａでコネクタ２を保持しても、リブ本体８０，８０の基部同士の間には、空隙８４が存在する。
【００８０】
次に、本実施の形態におけるコネクタ保持構造Ａによるケーブル９，９，…の固定について説明する。
まず、コネクタ保持構造Ａでコネクタ２を保持する前に、リブ本体８０，８０間に、ケーブル９，９，…の中途が挿入される。このとき、最も簡便な挿入手順は、リブ本体８０，８０の頂部側から基部側へ向けて、ケーブル９，９，…の中途を挿入することである。
次いで、前述したような手順で、コネクタ保持構造Ａにコネクタ２が保持される。この結果、コネクタ保持構造Ａに保持されているコネクタ２と、リブ形成面３０との間、即ち、空隙８４に、ケーブル９，９，…が挿通される。
【００８１】
空隙８４に挿通されたケーブル９，９，…の左右方向の動揺は、挟持片８１，８１によって規制される。また、ケーブル９，９，…の上下方向の動揺は、コネクタ２とリブ形成面３０とによって規制される。仮に、リブ本体８０，８０の基部側から頂部側へ向けて、ケーブル９，９，…を空隙８４から抜脱させるような大きな外力が働いたとしても、係止爪８２，８２に係止されているコネクタ２がコネクタ保持構造Ａから脱落することはないため、ケーブル９，９，…の抜脱は阻止される。
【００８２】
なお、コネクタ保持構造Ａによるケーブル９，９，…の固定は、コネクタ保持構造Ａによるコネクタ２の保持の前に行なう手順に限定されるものではない。例えば、コネクタ保持構造Ａにコネクタ２が保持されたあとで、空隙８４に対して前後方向にケーブル９，９，…を挿通させる手順でもよい。
【００８３】
従来、ケーブル９，９，…は、特許文献１，２に記載されているようなリブで固定されている。このため、ケーブル９，９，…に、リブと間の摩擦抵抗力よりも大きな外力が働けば、ケーブル９，９，…がリブから脱落する虞がある。
また、コネクタ２は、コネクタを包持するホルダで、ケーブル９，９，…とは別に固定されている。
【００８４】
一方、コネクタ保持構造Ａでケーブル９，９，…を固定すれば、特許文献１，２に記載されているようなリブが不要になる分、樹脂成形品３の材料を削減し、また、樹脂成形品３を小型軽量化することができる。樹脂成形品３の小型軽量化は、表示装置の狭額縁化、薄型化、及び軽量化に寄与し得る。更に、樹脂成形品３にコネクタ保持構造Ａと特許文献１，２に記載されているようなリブとを一体形成するような金型よりも、樹脂成形品３にコネクタ保持構造Ａを一体形成するような金型の方が、金型製造費が削減される。
【００８５】
また、コネクタ２の固定位置とケーブル９，９，…の固定位置とを一箇所に集中させることができるため、これらが分散している場合に比べて、作業効率を向上させることができる。
更に、ケーブル９，９，…がコネクタ保持構造Ａから脱落することが防止される。
【００８６】
実施の形態５
図２１はコネクタ保持構造Ａにコネクタ２とケーブル９，９，…とが保持されている状態の他の構成を示す正面図である。
図２１に示すコネクタ保持構造Ａは、実施の形態１のコネクタ保持構造Ａである。実施の形態１のコネクタ保持構造Ａでも、このコネクタ保持構造Ａに保持されているコネクタ２と、リブ形成面３０との間にケーブル９，９，…を挿通することによって、コネクタ保持構造Ａでケーブル９，９，…を固定することができる。
【００８７】
何故ならば、実施の形態１のコネクタ保持構造Ａには、凹所４３が設けられているからである。ケーブル９，９，…は、具体的には、コネクタ２の底面と凹所４３の内面とに囲繞された空間に挿通される。
なお、ケーブル９，９，…に印加された外力によってコネクタ２及びケーブル９，９，…がコネクタ保持構造Ａから脱落することを防止するために、各リブ４の保持部４２，４２の頂部に、コネクタ２の天面に係止する係止爪を設けることが望ましい。
【００８８】
実施の形態６
図２２はコネクタ保持構造Ａにコネクタ２とケーブル９，９，…とが保持されている状態の他の構成を示す正面図である。
図２２に示すコネクタ保持構造Ａは、実施の形態２のコネクタ保持構造Ａである。実施の形態２のコネクタ保持構造Ａでも、このコネクタ保持構造Ａに保持されているコネクタ２と、リブ形成面３０との間にケーブル９，９，…を挿通することによって、コネクタ保持構造Ａでケーブル９，９，…を固定することができる。
【００８９】
何故ならば、実施の形態２のコネクタ保持構造Ａにおいては、受止部５３，５３，…がコネクタ２の底面に当接して、コネクタ２を受止めるため、コネクタ保持構造Ａに保持されたコネクタ２の底面とリブ形成面３０との間に空隙が存在するからである。
なお、ケーブル９，９，…に印加された外力によってコネクタ２及びケーブル９，９，…がコネクタ保持構造Ａから脱落することを防止するために、各リブ分体５ａの保持部５１の頂部に、コネクタ２の天面に係止する係止爪を設けることが望ましい。
【００９０】
実施の形態７
図２３はコネクタ保持構造Ａにコネクタ２とケーブル９，９，…とが保持されている状態の他の構成を示す正面図である。
図２３に示すコネクタ保持構造Ａは、実施の形態３のコネクタ保持構造Ａである。実施の形態３のコネクタ保持構造Ａでも、このコネクタ保持構造Ａに保持されているコネクタ２と、リブ形成面３０との間にケーブル９，９，…を挿通することによって、コネクタ保持構造Ａでケーブル９，９，…を固定することができる。
【００９１】
何故ならば、実施の形態３のコネクタ保持構造Ａにおいては、凸部３４がコネクタ２の底面に当接するため、コネクタ保持構造Ａに保持されたコネクタ２の底面とリブ形成面３０との間に空隙が存在するからである。
しかも、リブ６，６の保持部６１，６１が、ケーブル９，９，…に印加された外力によってコネクタ２及びケーブル９，９，…がコネクタ保持構造Ａから脱落することを防止することができる。故に、実施の形態６，７のように、コネクタ保持構造Ａに係止爪を追加する必要がない。
【００９２】
なお、以上説明した実施の形態では、前キャビネット１５がコネクタ保持構造Ａのリブ４，５，８の何れかを有し、スピーカ１６ｂを支持する支持板２０がコネクタ保持構造Ａのリブ６，６，７を有する構成としたが、その他、コネクタ保持構造Ａのリブは後キャビネット１７が備える構成としてもよく、コネクタ保持構造Ａを備える樹脂成形品３はキャビネットに制限されない。
【００９３】
また、本発明に係るコネクタ保持構造Ａのリブは、板形状、柱形状であってもよく、その形状は特に制限されない。
【００９４】
また、本発明に係る表示装置は液晶テレビジョン等の液晶表示装置である他、プラズマ表示装置、ＥＬディスプレイ等の表示装置であってもよい。
【００９５】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、コネクタ保持構造Ａ、液晶表示装置Ｂ、又はテレビ受像装置に、実施の形態１〜７に開示されていない構成要素が含まれていてもよい。
【符号の説明】
【００９６】
１    導線
２    コネクタ
２３  凸部
３    樹脂成形品
３０  リブ形成面（リブを有する面）
３１  可撓片
３２  スリット
３４  凸部
４    リブ
４１  嵌入溝
４２  保持部
５，６，７，８  リブ
５１，６１，７１  保持部
８１  挟持片
８２  係止爪
８３  当接部
８４  空隙
９    ケーブル（導線）
１０  表示部
１５  前キャビネット（樹脂成形品）
１６ａ，１６ｂ  スピーカ
２０  支持板（樹脂成形品）
Ａ    コネクタ保持構造
Ｂ    液晶表示装置（表示装置）
【図１】
2012238570.tif 000003
【図２】
2012238570.tif 000004
【図３】
2012238570.tif 000005
【図４】
2012238570.tif 000006
【図５】
2012238570.tif 000007
【図６】
2012238570.tif 000008
【図７】
2012238570.tif 000009
【図８】
2012238570.tif 000010
【図９】
2012238570.tif 000011
【図１０】
2012238570.tif 000012
【図１１】
2012238570.tif 000013
【図１２】
2012238570.tif 000014
【図１３】
2012238570.tif 000015
【図１４】
2012238570.tif 000016
【図１５】
2012238570.tif 000017
【図１６】
2012238570.tif 000018
【図１７】
2012238570.tif 000019
【図１８】
2012238570.tif 000020
【図１９】
2012238570.tif 000021
【図２０】
2012238570.tif 000022
【図２１】
2012238570.tif 000023
【図２２】
2012238570.tif 000024
【図２３】
2012238570.tif 000025